(57)【要約】【課題】意匠紙をランプシェードの素材とする照明器具において、意匠紙の交換を容易に行なうことである。【解決手段】照明器具１０は、発光体１２と、発光体１２の周りに配置される枠体２０と、枠体２０に支持されて発光体１２の周りを巡るように回される意匠紙３０と、意匠紙３０が枠体２０に沿って回されて一方側の端部と他方側の端部とが重なる重なり部で、意匠紙３０を磁石の吸引力で挟んで固定する固定具４０，４２を含んで構成される。固定具４０，４２は、磁石片を紙包みでくるんで両端をねじり、両端に指で把持する把持部を有しており、把持部を指で摘まんで引っ張ることで吸引力に抗して外すことができ、意匠紙３０を容易に交換できる。【選択図】図２
0003121233.tif 000002
【実用新案登録請求の範囲】
【請求項１】
発光体の周囲に配置される枠体と、
枠体に沿って発光体の周囲を巡らされて一方端と他方端とが重ねられる１枚の意匠紙と、
意匠紙の重ねられた端部の表側及び裏側に配置され、磁力によって意匠紙の重なり部分を着脱自在に挟んで固定する少なくとも一対の固定具と、
を含み、
一対の固定具のうち、少なくとも、意匠紙の重ねられた表側に配置される表側固定具は、
指先で挟める大きさの磁石片と、
磁石片をくるんで両端をねじり、両端に指で把持する把持部を有する紙包みと、
を有し、紙包みの把持部を指でつかみ、磁力の固定を引き剥がすことで、発光体の周りを巡る意匠紙を交換可能とすることを特徴とする照明器具。
【請求項２】
発光体の周囲に配置される枠体と、
枠体に沿って発光体の周囲を巡らされて一方端と他方端とが重ねられる１枚の和紙と、
和紙の重ねられた端部の表側及び裏側に配置され、磁力によって和紙の重なり部分を着脱自在に挟んで固定する少なくとも一対の固定具と、
を含み、
一対の固定具のうち、少なくとも、和紙の重ねられた表側に配置される表側固定具は、
指先で挟める大きさの磁石片と、
液体で濡らした状態で磁石片をくるんで両端をねじり、乾燥することでねじった形状で固まり、両端に指で把持する把持部を有する和紙包みと、
を有し、和紙包みの把持部を指でつかみ、磁力の固定を引き剥がすことで、発光体の周りを巡る和紙を交換可能とすることを特徴とする照明器具。
【請求項３】
発光体の周囲に配置される枠体と、
枠体に沿って発光体の周囲を巡らされる複数の意匠紙であって、他の意匠紙と互いに端部で重なり合う複数の意匠紙と、
意匠紙の重ねられた端部の表側及び裏側に配置され、磁力によって意匠紙の重なり部分を着脱自在に挟んで固定する少なくとも一対の固定具と、
を含み、
一対の固定具のうち、少なくとも、意匠紙の重ねられた表側に配置される表側固定具は、
指先で挟める大きさの磁石片と、
磁石片をくるんで両端をねじり、両端に指で把持する把持部を有する紙包みと、
を有し、紙包みの把持部を指でつかみ、磁力の固定を引き剥がすことで、発光体の周りを巡る意匠紙を交換可能とすることを特徴とする照明器具。
【請求項４】
発光体の周囲に配置される枠体と、
枠体に沿って発光体の周囲を巡らされる複数の和紙であって、他の和紙と互いに端部で重なり合う複数の和紙と、
和紙の重ねられた端部の表側及び裏側に配置され、磁力によって和紙の重なり部分を着脱自在に挟んで固定する少なくとも一対の固定具と、
を含み、
一対の固定具のうち、少なくとも、和紙の重ねられた表側に配置される表側固定具は、
指先で挟める大きさの磁石片と、
液体で濡らした状態で磁石片をくるんで両端をねじり、乾燥することでねじった形状で固まり、両端に指で把持する把持部を有する和紙包みと、
を有し、和紙包みの把持部を指でつかみ、磁力の固定を引き剥がすことで、発光体の周りを巡る和紙を交換可能とすることを特徴とする照明器具。
【請求項５】
請求項１から請求項４のいずれか１に記載の照明器具において、
裏側固定具は、枠体に設けられる磁性体であることを特徴とする照明器具。
【請求項６】
請求項１から請求項５のいずれか１に記載の照明器具において、
枠体は、発光体の周囲に回転対称形に配置されることを特徴とする照明器具。
【考案の詳細な説明】
【技術分野】
【０００１】
本考案は照明器具に係り、特に意匠紙を透かして照明する照明器具に関する。
【背景技術】
【０００２】
室内等を照明する照明灯は、単に明るく室内を照明するのみならず、良好な雰囲気をかもし出すために、様々な意匠が工夫される。例えば、発光体を電球、蛍光灯等の他に、レーザ光を用い、あるいは時間と共に光線の色が変化するものを用い、あるいはろうそく等の炎を用いたりする。ランプと呼ばれる照明器具についても、ランプシェードの形状、模様、材質等を含む意匠が工夫される。
【０００３】
一般的には、１つの照明器具についてランプシェードは１種類であるが、１つの照明器具について複数のランプシェードを交換可能にするものがある。例えば、その照明器具が置かれる部屋の雰囲気に合わせてランプシェードを選択し、あるいは季節に応じて異なるランプシェードを選択することが行なわれる。
【考案の開示】
【考案が解決しようとする課題】
【０００４】
１つの照明器具について複数のランプシェードを交換可能にするために、照明器具の基台等にランプシェードの取付部を設け、その取付部とランプシェードとの間を着脱自在にすることが行われる。取付部とランプシェードとの間の着脱自在の機構としては、単なるはめ込みの他にネジ止め等の固定手段が取られる。交換されたランプシェードは、別途に保管される。
【０００５】
しかし、単なるはめ込みのためには、ランプシェードは発光体を取り囲む形状を有することが必要で、交換されたランプシェードはその保管にかなりの占有体積を有する。ネジ止め等の固定手段をとる場合でも、ランプシェードを一体のまま交換可能とする場合は、やはり交換されたランプシェードはその保管にかなりの占有体積を有する。ランプシェードを複数の部材に分解するときは保管に要する占有体積を減らすことが可能だが、分解作業と、次に使用するときの組立作業を要する。
【０００６】
例えば、意匠紙を素材とするランプシェードは、和室等に好まれて用いられるが、意匠紙自体は薄く、その占有体積はきわめて小さいにもかかわらず、ランプシェードとなると保管のためにかなりの占有体積を有する。したがって、多彩なランプシェードを交換可能とするには、実質的にランプシェードの種類の数とほとんど同じ数の照明器具の保管に要する保管場所を要し、ランプシェードを交換可能にする意味が薄れる。そこで、意匠紙のみを交換可能とできれば、その保管は容易で、多彩な意匠紙の選択が可能となる。
【０００７】
本考案の目的は、意匠紙をランプシェードの素材とする照明器具において、意匠紙の交換を容易に行なうことができる照明器具を提供することである。
【課題を解決するための手段】
【０００８】
本考案に係る照明器具は、発光体の周囲に配置される枠体と、枠体に沿って発光体の周囲を巡らされて一方端と他方端とが重ねられる１枚の意匠紙と、意匠紙の重ねられた端部の表側及び裏側に配置され、磁力によって意匠紙の重なり部分を着脱自在に挟んで固定する少なくとも一対の固定具と、を含み、一対の固定具のうち、少なくとも、意匠紙の重ねられた表側に配置される表側固定具は、指先で挟める大きさの磁石片と、磁石片をくるんで両端をねじり、両端に指で把持する把持部を有する紙包みと、を有し、紙包みの把持部を指でつかみ、磁力の固定を引き剥がすことで、発光体の周りを巡る意匠紙を交換可能とすることを特徴とする。
【０００９】
また、本考案に係る照明器具は、発光体の周囲に配置される枠体と、枠体に沿って発光体の周囲を巡らされて一方端と他方端とが重ねられる１枚の和紙と、和紙の重ねられた端部の表側及び裏側に配置され、磁力によって和紙の重なり部分を着脱自在に挟んで固定する少なくとも一対の固定具と、を含み、一対の固定具のうち、少なくとも、和紙の重ねられた表側に配置される表側固定具は、指先で挟める大きさの磁石片と、液体で濡らした状態で磁石片をくるんで両端をねじり、乾燥することでねじった形状で固まり、両端に指で把持する把持部を有する和紙包みと、を有し、和紙包みの把持部を指でつかみ、磁力の固定を引き剥がすことで、発光体の周りを巡る和紙を交換可能とすることを特徴とする。
【００１０】
また、本考案に係る照明器具は、発光体の周囲に配置される枠体と、枠体に沿って発光体の周囲を巡らされる複数の意匠紙であって、他の意匠紙と互いに端部で重なり合う複数の意匠紙と、意匠紙の重ねられた端部の表側及び裏側に配置され、磁力によって意匠紙の重なり部分を着脱自在に挟んで固定する少なくとも一対の固定具と、を含み、一対の固定具のうち、少なくとも、意匠紙の重ねられた表側に配置される表側固定具は、指先で挟める大きさの磁石片と、磁石片をくるんで両端をねじり、両端に指で把持する把持部を有する紙包みと、を有し、紙包みの把持部を指でつかみ、磁力の固定を引き剥がすことで、発光体の周りを巡る意匠紙を交換可能とすることを特徴とする。
【００１１】
また、本考案に係る照明器具は、発光体の周囲に配置される枠体と、枠体に沿って発光体の周囲を巡らされる複数の和紙であって、他の和紙と互いに端部で重なり合う複数の和紙と、和紙の重ねられた端部の表側及び裏側に配置され、磁力によって和紙の重なり部分を着脱自在に挟んで固定する少なくとも一対の固定具と、を含み、一対の固定具のうち、少なくとも、和紙の重ねられた表側に配置される表側固定具は、指先で挟める大きさの磁石片と、液体で濡らした状態で磁石片をくるんで両端をねじり、乾燥することでねじった形状で固まり、両端に指で把持する把持部を有する和紙包みと、を有し、和紙包みの把持部を指でつかみ、磁力の固定を引き剥がすことで、発光体の周りを巡る和紙を交換可能とすることを特徴とする。
【００１２】
また、裏側固定具は、枠体に設けられる磁性体であってもよい。
【００１３】
また、枠体は、発光体の周囲に回転対称形に配置されることが好ましい。
【考案の効果】
【００１４】
上記構成の少なくとも１つにより、発光体の周囲に枠体を配置し、枠体に沿って意匠紙を巡らせ、意匠紙の一方端と他方端との重ねられた端部の表側及び裏側に、磁力によって意匠紙の重なり部分を着脱自在に挟んで固定する少なくとも一対の固定具を配置する。そして、少なくとも表側固定具は、指先で挟める大きさの磁石片をくるんで両端をねじり、両端に指で把持する把持部を有するようにした紙包みとし、その紙包みの把持部を指でつかみ、磁力の固定を引き剥がすことで、発光体の周りを巡る意匠紙を交換可能とする。
【００１５】
ここでは、いわゆるランプシェードが、枠体と、着脱可能な意匠紙とで構成され、意匠紙は、枠体を巡るようにして巻かれて、その重なる合わせ目を、磁力による固定具で止めてある。固定具は指で簡単に磁力の固定を引き剥がせる。これにより、意匠紙を簡単に取り外し、他の意匠紙との交換が容易である。また、薄い意匠紙の保管体積は極めて少ない。また、磁石片を包むものを紙とするので、照明器具全体の意匠を統一することができる。なお、固定具の包み紙を、意匠紙と同じ紙とすることが望ましい。
【００１６】
また、意匠紙を和紙とすることができる。和紙は、無地でもよく、模様を施してもよい。また、手漉き和紙を用いることで、手漉きによる繊維の流れ等がそのまま意匠とすることができる。固定具に用いる包み紙は、液体で濡らした状態で磁石片をくるんで両端をねじり、乾燥することでねじった形状で固まる和紙を用いるので、磁石片をしっかり包んで保持することができ、また、ねじった形態自身を１つの意匠として用いることができる。
このように、一度濡らした後、ねじって、乾燥すると固まってそのねじった形を維持できる和紙としては、手漉き和紙を用いることができる。手漉き和紙は、周知のように、ミツマタ、コウゾ、ガンピ等の天然繊維を用い、例えばトロロアオイからの抽出した糊材を使用する。この糊材は水溶性であるので、手漉き和紙を濡らすことで溶け、手漉き和紙をねじると、ねじった形で繊維を固めることができる。したがって、手漉き和紙を用いて、磁石片を包み、ねじって乾燥するだけで、ねじった形で固めることができるので便利である。なお、和紙を濡らす液体としては、水、あるいは適当な水溶性糊材を希釈した液体を用いることができる。
【００１７】
枠体に巡らせる紙は、１枚でもよく、複数枚であってもよい。いずれにせよ、紙の重なり部分を、磁力による固定具で止めることで、紙を容易に交換することができる。
【００１８】
また、表側固定具と裏側固定具とを、磁石片を包み紙でくるんだ同じものを用いることができる外、表から見えない裏側固定具を、磁性体として枠体に設けることができる。磁性体とは、磁石になることができる材料であるので、表側固定具と協働して紙を磁力で挟み固定できる。
【００１９】
また、枠体は、発光体の周囲に回転対称形に配置されるので、紙の形状を簡単なものとでき、また、視覚的な意匠としても好ましい。
【考案を実施するための最良の形態】
【００２０】
以下に図面を用いて本考案に係る実施の形態を詳細に説明する。以下では、円筒形の枠体に巡らせる意匠紙を１枚の手漉き和紙として説明するが、円筒形をぐるりと巡るのに、複数枚の手漉き和紙を順々に重ねてもよい。また、照明器具の意匠の一例として、意匠紙も固定具の包み紙も共に手漉き紙として説明するが、それ以外の紙、例えばパルプから作る和紙、あるいは一般的な洋紙であってもよく、合成紙であってもよい。もっとも、包み紙に手漉き和紙を用いることで、ねじった形を固めるという顕著な効果を奏することができるが、包み紙の材質がそれ以外の紙であっても、意匠紙を枠体から容易に取り外し交換する効果を有することができるので、本考案の範囲に含まれる。
【００２１】
また、発光体として、一般的な電球を説明するが、紙を通して照明できるものであればそれ以外の発光体であってもよい。例えば、蛍光灯、ＬＥＤ（Ｌｉｇｈｔ  Ｅｍｉｓｓｉｏｎ  Ｄｅｖｉｃｅ）、ろうそく、回り灯篭の図案を出す発光体等であってもよい。また、枠体によって支持される紙が形作られる外形は、発光体の周りに回転対称形のものとして説明するが、これは紙の重なり部分を磁力で挟み込んで固定するのに適した代表的な形態を示すものであって、それ以外の外形であっても、紙の重なり部分を磁力で挟み込んで固定できるものであればよい。たとえば、角型行灯形状のように、矩形の４面を有する外形であってもよく、３面で発光体を囲む形状等であってもよい。
【００２２】
図１（ａ）と（ｂ）は、それぞれ照明器具１０の正面図と背面図である。また、図２は、照明器具１０の分解図である。照明器具１０は、発光体１２と、発光体１２の周りに配置される枠体２０と、枠体２０に支持されて発光体１２の周りを巡るように回される意匠紙３０と、意匠紙３０が枠体２０に沿って回されて一方側の端部と他方側の端部とが重なる重なり部３２で意匠紙３０を止める３対の固定具４０を含んで構成される。
【００２３】
発光体１２は、照明のための光を出すもので、一般的な白熱電球を用いることができる。ここで照明の語は、あたりを明るくする意味で使用しており、仕事ができる程度に明るくする場合もあり、あるいは適度にほの明るい程度で、ムード等の雰囲気をかもし出す場合もある。図１、図２では発光体１２に電力を供給するためのコード１４が示されている。
【００２４】
枠体２０は、意匠紙３０である手漉き和紙を支持して、照明器具１０の外形を形作り、意匠紙３０とともに、いわゆるランプシェードとなる機能を有する部材である。したがって、発光体１２の放射する光を、意匠紙を通して外部に導ける空間を有しながら、意匠紙３０をその周りに巡らせる形状を有する必要がある。図１、図２では、枠体２０として、発光体１２が取り付けられる基台を兼ねる下板２２と、発光体１２の上方に設けられる上板２４と、下板２２と上板２４とを接続する３本の柱２６を含んで構成されるものとして示される。ここでは下板２２、上板２４とも同じ外径の円環状の形状としてある。なお、下板２２は、発光体１２を取り付けるため、円環状部材にさらに差し渡しの部材が設けられている。柱２６は、下板２２、上板２４の間に立てられる細長い板材で、その最も外側の面は、下板２２、上板２４の外周と合わせられる。柱２６の本数は３本に限られず、さらに多い数であってもよいが、複数の柱２６は、その間に光を通す空間を有する必要がある。
【００２５】
かかる枠体２０の材質としては、アクリル樹脂等の透明なプラスチックを用いることができる。照明器具１０が、ほの明るい灯として用いられる場合や、枠体２０のシルエットを効果的に用いる場合等では、金属、木材等の不透明な材料を用いることができる。なお、枠体２０の下部に、適当な脚２８を設けることができる。枠体２０の大きさの一例を示すと、外径が約１５ｃｍから２０ｃｍ、高さが約３０ｃｍから５０ｃｍ程度で、これに意匠紙３０を巡らせて、円筒形のランプシェードとすることができる。
【００２６】
意匠紙３０は、枠体２０に沿ってぐるりと巡らせる大きさを有する手漉き和紙で、これを通して発光体１２の放射する光を外部に導き、明るさを提供し、また光が通ることで視覚によって感知できる模様によって意匠としての役割を果たすものである。図１、図２では、手漉き和紙の繊維の流れをそのまま模様として用い、また、手漉き和紙の自然な端部の形状を外形意匠として用いている。
【００２７】
固定具４０，４２は、意匠紙３０を枠体２０に沿って巡らせて両端部が重なり合う重なり部３２において、意匠紙３０を磁力で挟んで固定する機能を有し、意匠紙３０の表側、裏側にそれぞれ配置されて一対をなす部材である。図１、図２では、意匠紙３０の重なり部３２の３箇所で止めるため、３対の固定具４０，４２が示されている。固定具４０と固定具４２とは同じ形状のものを用いることができる。
【００２８】
図３は、意匠紙３０の表側に用いられる固定具４０の構造を説明する図である。固定具４０は、磁石片５０を小ぶりの手漉き和紙からなる包み紙５２でくるみ、その両端をねじって、指で挟める程度の把持部４４，４６を形作ったものである。その外形は、キャンディを包装紙で包み、両端をねじったものに似ている。磁石片５０は、厚さが約１ｍｍ程度、直径が数ｍｍ程度で、手で把持できる程度の大きさの円板状をなし、その両面がそれぞれＮ極とＳ極をなす。磁石片５０の材料としては、ネオジ磁石等を用いることができる。
【００２９】
磁石片５０をくるむ包み紙５２は、意匠紙３０と同じ材質の紙を用いることが照明器具１０の意匠面から好ましい。上記のように手漉き和紙を用いるときは、さらに次のような効果を期待することができる。すなわち、手漉き和紙の包み紙５２を十分な時間水に浸して濡らす。その状態、あるいは半分乾かした状態で、磁石片５０を内部にくるんで、両端を強くねじって把持部４４，４６を形作る。そして、乾燥させる。また、場合によっては、乾いた手漉き和紙の包み紙５２に磁石片５０をくるんで、両端を強くねじって把持部４４，４６を形作り、その形状が壊れないように水に十分な時間浸して濡らし、その後乾燥してもよい。
【００３０】
手漉き和紙は、周知のように、ミツマタ、コウゾ、ガンピ等の天然繊維を用い、例えばトロロアオイからの抽出した糊材を使用している。この糊材は水溶性であるので、手漉き和紙を濡らすことで溶け、手漉き和紙をねじると、ねじった形で繊維を固めることができる。したがって、手漉き和紙を用いて、磁石片を包み、ねじって乾燥するだけで、ねじった形で固めることができるので便利である。
【００３１】
かかる構成の照明器具１０の作用等を説明する。照明器具１０は、発光体１２が取り付けられた状態の枠体２０と、意匠が異なる数種類の意匠紙３０と、数対の固定具４０，４２とで構成される。数種類の意匠紙３０は、例えば春夏秋冬の四季にふさわしい意匠の組や、物語を数個の情景に分けて描かれた意匠の組等を構成するものとできる。そして、その数種類の意匠紙３０の１つを選択し、枠体２０の下板２２、上板２４、複数の柱２６の外形に沿わせて、円筒状に発光体１２の周りに巡らせる。意匠紙３０の大きさは、枠体２０に沿って発光体１２の周りを巡らせるときに、その両端部が重なって重なり部３２を形成するので、その重なり部３２において、意匠紙３０の表側に固定具４０を、裏側に固定具４２を、相互の磁極が反対極性で対向するように持ってくると、磁力によって固定具４０と固定具４２が吸引し、意匠紙３０の重なり部３２を挟みこんで固定する。固定具４０，４２は磁石片５０の部分で吸引するが、固定具４０，４２は吸引力を受けない把持部４４，４６を有するので、この把持部４４，４６を指で把持することで、意匠紙３０の取り付け作業を容易に行うことができる。
【００３２】
このようにして、図１に示すような円筒形外形の手漉き和紙のランプシェードを有する照明器具１０が出来上がる。出来上がった照明器具１０を所望の場所に設置し、コード１４によって発光体１２に電力を供給することで、明かりを所望の場所に提供することができる。
【００３３】
照明器具１０の意匠を変更したいと考えるときは、予め用意されている数種類の意匠紙３０の中から所望の新しい意匠紙３０を選択する。そして、現在の照明器具１０の状態で、意匠紙３０の表側の固定具４０の把持部４４，４６を指で摘まみ、磁力に抗して引き剥がすと、裏側の固定具４２は、吸引力を失って重力で下側に落下する。これを図１の例では３つの固定具４０について順々に行えば、現在の意匠紙３０は重なり部３２における挟み込みが失われ、１枚の意匠紙３０の状態となり、枠体２０から自然と離れる。このようにして現在の意匠紙３０を照明器具１０から容易に取り外すことができる。その後は、上記に説明したと同様の手順で、新しく選択した意匠紙３０を、枠体２０に沿って巡らせ、重なり部３２において固定具４０，４２を用いて挟み込むことで、新しい意匠紙３０を有する照明器具１０を得ることができる。このように、意匠紙３０の交換を容易に行うことができる。
【００３４】
図４は、意匠紙３０の裏側に用いる固定具４２の代わりに、枠体２０の各柱２６のそれぞれの表側に鉄片６０を配置する構成を示す図である。鉄片６０は、磁石になることができる磁性体であるので、意匠紙３０の表側に用いる固定具４０と、吸引しあうことができる。したがって、この場合には、固定した位置に裏側固定具があることになり、表側の固定具４０を外しても、裏側固定具の紛失を心配しなくてもよい。鉄片６０は、各柱２６のそれぞれの表側の全面に配置してもよく、適当な数箇所の位置に分散させて配置させてもよい。柱２６自体を磁性体で構成してもよい。
【００３５】
図５は、枠体によって形作られる外形の例を示す図で、（ａ）は、図１で説明した円筒形であり、（ｂ）は、下広がりの円錐形であり、（ｃ）は上広がりの円錐形である。このように、枠体によって形作られる外形を回転対称形とすることで、意匠紙の外形を単純な矩形形状あるいは扇形とでき、また、固定具４０，４２による固定も容易となる。
【図面の簡単な説明】
【００３６】
【図１】本考案に係る実施の形態における照明器具の正面図と背面図である。
【図２】本考案に係る実施の形態における照明器具の分解図である。
【図３】本考案に係る実施の形態において、意匠紙の表側に用いられる固定具の構造を説明する図である。
【図４】本考案に係る実施の形態において、枠体の各柱のそれぞれの表側に鉄片を配置する構成を示す図である。
【図５】本考案に係る実施の形態において、枠体によって形作られる外形の例を示す図である。
【符号の説明】
【００３７】
１０  照明器具、１２  発光体、１４  コード、２０  枠体、２２  下板、２４  上板、２６  柱、２８  脚、３０  意匠紙、３２  重なり部、４０，４２  固定具、４４，４６  把持部、５０  磁石片、５２  包み紙、６０  鉄片。
【図１】
0003121233.tif 000003
【図２】
0003121233.tif 000004
【図３】
0003121233.tif 000005
【図４】
0003121233.tif 000006
【図５】
0003121233.tif 000007